(57)【要約】【課題】簡単なシステム構成で、表示する画像データに関連付けられた付帯情報を記録（表示）し、出力することができる不揮発性表示モジュールを提供する。【解決手段】不揮発性表示モジュール１００は、表示制御装置２００に接続されて、表示制御装置２００から転送されたデータを表示するものであって、画像データを表示制御装置２００から受け付けて表示する表示領域１１０と、表示領域１１０に表示される画像データに関連付けられた付帯情報を表示制御装置２００から受け付けて表示する冗長領域１２０とを備える。【選択図】図２
2010204310.tif 000002
【特許請求の範囲】
【請求項１】
表示制御装置に接続されて、当該表示制御装置から転送されたデータを表示する不揮発性表示モジュールであって、
画像データを前記表示制御装置から受け付けて表示する表示領域と、
前記画像データに関連付けられた付帯情報を、前記表示制御装置から受け付けて表示する冗長領域とを備える
不揮発性表示モジュール。
【請求項２】
前記付帯情報は、前記画像データを説明する音声情報、前記画像データに添えられる音声メッセージ情報、及び前記画像データのＢＧＭとなる音楽情報のうちのいずれか１つを含む
請求項１に記載の不揮発性表示モジュール。
【請求項３】
該不揮発性表示モジュールは、正に帯電した複数の粒子である正極粒子群と、負に帯電した複数の粒子である負極粒子群と、前記表示領域及び前記冗長領域に区画され、前記正極粒子群及び負極粒子群を封入する筐体とを備え、前記筐体に電圧が印加されることによって、前記画像データを表示するものであって、
前記筐体の前記表示領域には、互いに異なる色に着色された第１の正極粒子群と第１の負極粒子群とが封入されており、
前記筐体の前記冗長領域には、同一色に着色された第２の正極粒子群と第２の負極粒子群とが封入されている
請求項１又は２に記載の不揮発性表示モジュール。
【請求項４】
表示領域及び冗長領域を備える不揮発性表示モジュールを制御する表示制御装置であって、
画像データの入力を受け付ける画像データ入力部と、
前記付帯情報の入力を受け付ける付帯情報入力部と、
前記画像データ入力部に入力された前記画像データを前記表示領域に表示させると共に、前記付帯情報入力部に入力された前記付帯情報を前記冗長領域に表示させるデータ書き込み部と、
前記冗長領域から前記付帯情報を読み出す付帯情報読み出し部と、
前記付帯情報読み出し部によって読み出された前記付帯情報を出力する付帯情報出力部とを備える
表示制御装置。
【請求項５】
該表示制御装置は、さらに、
前記不揮発性表示モジュールを保持する保持部と、
前記保持部に保持された前記不揮発性表示モジュールの前記冗長領域を隠蔽する冗長領域隠蔽部とを備える
請求項４に記載の表示制御装置。
【請求項６】
請求項１〜３のいずれか１項に記載の不揮発性表示モジュールと、
前記不揮発性表示モジュールを着脱自在に保持する請求項４又は５に記載の表示制御装置とを備える
不揮発性表示システム。
【発明の詳細な説明】
【技術分野】
【０００１】
本発明は、デジタルスチルカメラなどで撮影した画像を表示する表示システムに関する。
【背景技術】
【０００２】
従来の表示システムとして、例えば、デジタルスチルカメラで撮影した画像をメモリカードに記録し、該メモリカードを装着して閲覧できるデジタルフォトフレームなどが知られている。デジタルフォトフレームは液晶ディスプレイを備え、メモリカードから読み出した画像を該液晶ディスプレイに映し出すようになっている。ただし、液晶ディスプレイに画像を表示させる間は常時電源が必要となるため、近年は電源の不要な表示ディスプレイとして電子ペーパに代表される不揮発性表示モジュールの開発が進んでいる。
【０００３】
このような不揮発性表示モジュールの表示方式としては、例えば、特許文献１に示す電気泳動方式など、さまざまな方式が開発されている。特許文献１によれば、図７に示すようにプラスに帯電した黒色の帯電粒子群（以降、正極粒子群１０２という）と、マイナスに帯電した白色の帯電粒子群（以降、負極粒子群１０３という）とを、透過性のあるカプセル１０１内に封入する。そして、該カプセルの上下に配置された電極１０４、１０５に電圧を印加することにより、黒色の正極粒子群１０２と白色の負極粒子群１０３とが、夫々極性の異なる電極側に泳動することによって色が変化する。また、粒子群の泳動によってカプセル内には電界エネルギーが保持されるため、無電源状態になっても状態を保持することができる。
【０００４】
また、印加する電圧の違いによって帯電性粒子の泳動状態が変わり、その結果表示濃度が変わることも知られている。特許文献１は、白黒表示に限定されたものであるが、特許文献２は、シアン、マゼンダ、イエローに着色された帯電粒子を用いてカラー化を実現している。また、特許文献１には、表示素子であるカプセルに印加された電圧を読み取ることによって、一旦表示した情報を読み出す技術も開示されている。
【０００５】
このような不揮発性表示モジュールを応用した表示システムとして、不揮発性表示モジュールに表示した画像を見ながら、該画像に関連のある音声を再生できる方法が提案されている（特許文献３）。特許文献３によれば、表示された画像に関連付けられた音声を表示制御装置内のメモリに記憶しておき、該画像の表示に対応させて該音声を再生できるようになっている。
【特許文献１】特開２００７−５２２０２号公報
【特許文献２】特開２０００−３５５９８号公報
【特許文献３】特開２００２−５５６５１号公報
【発明の開示】
【発明が解決しようとする課題】
【０００６】
しかしながら、前述した表示システムにおいては、表示させる画像に関連付けられた音声（以降、付帯情報という）と、該画像及び該付帯情報を関連付ける情報とを常に表示制御装置内のメモリに保持しておく必要があり、システムが繁雑になるといった問題点を有していた。
【０００７】
また、画像が表示された不揮発性表示モジュールを表示制御装置（装置Ａ）から取り外し、他の表示制御装置（装置Ｂ）に装着して該画像を閲覧する場合、装置Ｂには該画像に関連付けられた付帯情報が保持されていないので、該付帯情報を再生できないといった問題点を有していた。
【０００８】
そこで、本発明は、簡単なシステム構成で、表示する画像データに関連付けられた付帯情報を記録（表示）し、出力することができる不揮発性表示モジュール、表示制御装置、及び不揮発性表示システムを提供することを目的とする。
【課題を解決するための手段】
【０００９】
本発明に係る不揮発性表示モジュールは、表示制御装置に接続されて、当該表示制御装置から転送されたデータを表示する。具体的には、画像データを前記表示制御装置から受け付けて表示する表示領域と、前記画像データに関連付けられた付帯情報を、前記表示制御装置から受け付けて表示する冗長領域とを備える。上記構成とすることにより、当該不揮発性表示モジュールを、複数の表示制御装置で共用することが可能となる。
【００１０】
また、前記付帯情報は、前記画像データを説明する音声情報、前記画像データに添えられる音声メッセージ情報、及び前記画像データのＢＧＭとなる音楽情報のうちのいずれか１つを含んでもよい。これにより、一方の表示制御装置で付帯情報を記録し、他方の表示制御装置で再生すること等が可能となる。
【００１１】
また、該不揮発性表示モジュールは、正に帯電した複数の粒子である正極粒子群と、負に帯電した複数の粒子である負極粒子群と、前記表示領域及び前記冗長領域に区画され、前記正極粒子群及び負極粒子群を封入する筐体とを備え、前記筐体に電圧が印加されることによって、前記画像データを表示するものである。そして、前記筐体の前記表示領域には、互いに異なる色に着色された第１の正極粒子群と第１の負極粒子群とが封入されており、前記筐体の前記冗長領域には、同一色に着色された第２の正極粒子群と第２の負極粒子群とが封入されていてもよい。
【００１２】
電気泳動方式の不揮発性表示モジュールにおいては、上記のように、正極粒子群と負極粒子群とを同一色とすることにより、冗長領域を非可視化することができる。これにより、ユーザに表示不良等と誤解されるのを防止することができる。
【００１３】
本発明に係る表示制御装置は、表示領域及び冗長領域を備える不揮発性表示モジュールを制御する。具体的には、画像データの入力を受け付ける画像データ入力部と、前記付帯情報の入力を受け付ける付帯情報入力部と、前記画像データ入力部に入力された前記画像データを前記表示領域に表示させると共に、前記付帯情報入力部に入力された前記付帯情報を前記冗長領域に表示させるデータ書き込み部と、前記冗長領域から前記付帯情報を読み出す付帯情報読み出し部と、前記付帯情報読み出し部によって読み出された前記付帯情報を出力する付帯情報出力部とを備える。
【００１４】
上記構成の表示制御装置によれば、不揮発性表示モジュールの冗長領域に付帯情報を書き込むと共に、付帯情報を読み出して出力することが可能となる。
【００１５】
また、該表示制御装置は、さらに、前記不揮発性表示モジュールを保持する保持部と、前記保持部に保持された前記不揮発性表示モジュールの前記冗長領域を隠蔽する冗長領域隠蔽部とを備えてもよい。これにより、簡単に冗長領域を非可視化することが可能となる。
【００１６】
本発明に係る不揮発性表示システムは、上記不揮発性表示モジュールと、前記不揮発性表示モジュールを着脱自在に保持する上記記載の表示制御装置とを備える。これにより、複数の表示制御装置で１つの不揮発性表示モジュールを共用可能な不揮発性表示装置を得ることができる。
【発明の効果】
【００１７】
不揮発性表示モジュール上の冗長領域に表示（保持）された付帯情報（例えば音声）を読み出して再生するようにしたので、該付帯情報を表示制御装置に保持し続けておく必要がない。また、不揮発性表示モジュールを表示制御装置から取り外して、他の表示制御装置に装着して使用する場合においても、付帯情報を再生することができる。
【発明を実施するための最良の形態】
【００１８】
（第１の実施形態）
図１Ａ〜図２を参照して、本発明の第１の実施形態に係る不揮発性表示システムを説明する。なお、図１Ａは、本発明の第１の実施形態における不揮発性表示システムの外観図である。図１Ｂは、不揮発性表示モジュール１００の外観図である。図２は、表示制御装置２００の機能ブロック図である。
【００１９】
図１Ａに示されるように、不揮発性表示システムは、不揮発性表示モジュール１００と、表示制御装置２００と、画像データを記録する記録媒体としてのメモリカード３００とを含んで構成される。
【００２０】
不揮発性表示モジュール１００は、図１Ｂに示されるように、表示領域１１０と、冗長領域１２０とを有する。表示領域１１０は、メモリカード３００に記録されている画像データを表示する領域である。一方、冗長領域１２０は、表示領域１１０に表示される画像データに関連付けられた付帯情報を表示する領域である。
【００２１】
なお、不揮発性表示モジュール１００は、前述した特許文献１に開示されたような、電気泳動方式に基づくものであり、ここでは簡単のため白黒表示とする。具体的には、不揮発性表示モジュール１００は、図７に示されるように、透明又は半透明のカプセル（筐体）１０１と、カプセル１０１に封入される正極粒子群１０２及び負極粒子群１０３とを備える。
【００２２】
なお、正極粒子群１０２及び負極粒子群１０３は、互いに異なる色に着色されている。第１の実施形態においては、正極粒子群１０２を黒色に着色し、負極粒子群を白色に着色している。また、カプセル１０１には電極１０４、１０５が設けられている。この電極１０４、１０５は、表示領域１１０及び冗長領域１２０に含まれる画素毎に電圧を印加することができる。
【００２３】
一方、表示制御装置２００は、メモリカード３００に記録されている画像データのビットデータを電圧値に変換する。そして、当該電圧値を表示領域１１０の各画素に印加することにより、正極粒子群１０２及び負極粒子群１０３が泳動し、表示領域１１０に所望の画像が表示される。冗長領域１２０に付帯情報を表示する場合も同様である。なお、不揮発性表示モジュール１００は、表示制御装置２００からの電源の供給が停止しても、表示領域１１０及び冗長領域１２０に画像を表示し続けることができる。
【００２４】
表示制御装置２００は、図１Ａに示されるように、不揮発性表示モジュール１００を着脱自在に保持する保持部２０１と、ユーザからの様々な指示を受け付ける操作部２０２と、付帯情報としての音声情報の入力を受け付けるマイクロフォン２０３と、不揮発性表示モジュール１００の冗長領域１２０を隠蔽する隠蔽用カバー（冗長領域隠蔽部）２０４と、冗長領域１２０に保持されている付帯情報としての音声情報を出力（再生）するスピーカ２０５とを備える。
【００２５】
操作部２０２が受け付けるユーザからの指示としては、例えば、電源のＯＮ及びＯＦＦ、画像データを表示領域１１０に表示させる表示指示、付帯情報としての音声情報の入力をマイクロフォン２０３に受け付けさせる音声入力指示、及び付帯情報としての音声情報をスピーカ２０５で再生させる音声再生指示等がある。
【００２６】
また、表示制御装置２００は、図２に示されるように、ＣＰＵ（Ｃｅｎｔｒａｌ  Ｐｒｏｃｅｓｓｉｎｇ  Ｕｎｉｔ）２１０と、読み書き部２２０と、画像データ及び付帯情報を一時的に保持するバッファ２３０と、付帯情報付加部２４０と、付帯情報再生部２５０とをさらに備える。
【００２７】
ＣＰＵ２１０は、表示制御装置２００全体の処理を統括する。読み書き部２２０は、メモリカード３００、バッファ２３０、及び不揮発性表示モジュール１００の間で画像データ及び付帯情報の読み書きを行う。
【００２８】
具体的には、操作部２０２に画像データの表示指示が入力されたことを契機として、メモリカード３００から画像データを読み出してバッファ２３０に書き込む。さらに、バッファ２３０に保持されている画像データを電圧値に変換して表示領域１１０に表示させる（データ書き込み部）。また、操作部２０２に音声入力指示が入力されたことを契機として、付帯情報付加部２４０がバッファ２３０に書き込んだ付帯情報を電圧値に変換して冗長領域１２０に表示させる（データ書き込み部）。さらに、操作部２０２に付帯情報の音声再生指示が入力されたことを契機として、冗長領域１２０に表示されている付帯情報をビットデータに変換してバッファ２３０に書き込む（付帯情報読み出し部）。
【００２９】
付帯情報付加部２４０は、音声入力指示が操作部２０２に入力されたことを契機として、マイクロフォン２０３から入力される音声情報を付帯情報としてバッファ２３０に書き込む（付帯情報入力部）。なお、音声情報の例としては、画像データの属性（撮影日時や被写体等）等の画像データを説明する音声データ、画像データに添えられるメッセージ等の音声データ、及び画像データのＢＧＭとなる音楽データ等が挙げられる。
【００３０】
付帯情報再生部２５０は、音声再生指示が操作部２０２に入力されたことを契機として、バッファ２３０に保持されている付帯情報としての音声情報をスピーカ２０５に出力（再生）する（付帯情報出力部）。
【００３１】
図３は、不揮発性表示システムの使い方を示す説明図である。不揮発性表示モジュール１００は、ユーザａが所持している表示制御装置２００ａ、及びユーザｂが所持している表示制御装置２００ｂのどちらにも着脱自在となっている。また、不揮発性表示モジュール１００は、電源の供給を受けなくても画像データを表示し続けることができるので、画像データを表示した不揮発性モジュール１００を、ユーザａ及びユーザｂで共有することができる。
【００３２】
以上のように構成された不揮発性表示システムの動作について、図４を用いて説明する。なお、図４は、不揮発性表示システムの動作を示すフローチャートである。
【００３３】
まず、１つの表示制御装置（表示制御装置２００）を用いた使用例について説明し、次に図３に示すように２つの表示制御装置２００ａ、２００ｂを用いた使用例、すなわち、表示制御装置２００ａで画像データ及び付帯情報を付加した不揮発性表示モジュール１００を、表示制御装置２００ｂで閲覧する動作について説明する。
【００３４】
まず、不揮発性表示モジュール１００を表示制御装置２００に取り付けて使用する場合を説明する。ユーザが操作部２０２の操作により電源をＯＮすると、ＣＰＵ２１０は操作部２０２からの電源ＯＮの指示に従い、図４に示すフローチャートに示す処理を開始する。なお、図４に示すフローチャートにおいて、Ｓ２１０番台はＣＰＵ２１０の処理、Ｓ２２０番台は読み書き部２２０の処理、２５０番台は付帯情報再生部２５０の処理を示す。
【００３５】
まず、ＣＰＵ２１０はバッファ２３０のクリアなどの初期化処理を行う（Ｓ２１０）。初期化処理が終わると、操作部２０２の操作状況をウォッチする（Ｓ２１１〜Ｓ２１３）。
【００３６】
操作部２０２がユーザからの「表示指示」を受け付けた場合は（Ｓ２１１でＹｅｓ）、制御を読み書き部２２０に移す。読み書き部２２０は、表示指示のあった画像データをメモリカード３００から読み出し、バッファ２３０に一時保持する（Ｓ２２０）。バッファ２３０への書き込みが完了すると、読み書き部２２０は、バッファ２３０に保持された画像データをビットデータから電圧値に変換して、該電圧値を表示領域１１０に書き込む。この処理により表示領域１１０に所望の画像が表示される（Ｓ２２１）。
【００３７】
以上の処理が終わると、ＣＰＵ２１０は再び操作部２０２の操作状況をウォッチする（Ｓ２１１〜Ｓ２１３）。
【００３８】
次に、操作部２０２が受け付けた指示が「表示指示」でない場合（Ｓ２１１でＮｏ）は、「音声入力指示」かどうかを判断する（Ｓ２１２）。音声入力指示であった場合（Ｓ２１２でＹｅｓ）、ＣＰＵ２１０は制御を読み書き部２２０に移す。
【００３９】
読み書き部２２０は、付帯情報としての音声情報がバッファ２３０に書き込まれるのを待つ。具体的には、ユーザがマイクロフォン２０３（図２ではＭＩＣと表記）を介して音声情報を入力する。例えば、表示された画像にふさわしいメッセージを入力することが好ましい。入力された音声情報は付帯情報付加部２４０によってアナログ−デジタル変換がなされ、付帯情報としてバッファ２３０に一時保持される（Ｓ２０２）。
【００４０】
付帯情報のバッファ２３０への書き込みが完了すると、読み書き部２２０は、バッファ２３０に保持された付帯情報を電圧値に変換して、該電圧値を冗長領域１２０に書き込む。この処理により冗長領域１２０には付帯情報が表示される（Ｓ２２２）。なお、冗長領域１２０に表示された付帯情報は表示上の意味はなく、ユーザにとって視覚的に好ましくないばかりでなく、ユーザに表示不良と判断される可能性があるので、隠蔽用カバー２０４で隠蔽する。
【００４１】
以上の処理が終わると、ＣＰＵ２１０は再び操作部２０２の操作状況をウォッチする（Ｓ２１１〜Ｓ２１３）。次に、操作部２０２が受け付けた指示が「音声再生指示」であった場合（Ｓ２１３でＹｅｓ）、ＣＰＵ２１０は制御を読み書き部２２０に移す。
【００４２】
読み書き部２２０は、冗長領域１２０の各画素に印加された電圧値を検知し、当該電圧値をビットデータに変換する。そして、当該ビットデータをバッファ２３０に書き込むことにより、冗長領域１２０に表示された（記憶された）付帯情報の読み出しが完了する（Ｓ２２３）。バッファ２３０に読み出された付帯情報は、付帯情報再生部２５０によってデジタル−アナログ変換がなされ、スピーカ２０５（図２ではＳＰと表記）から出力される。
【００４３】
次に、図３に示すように、表示制御装置２００ａによって画像表示された不揮発性表示モジュール１００を、表示制御装置２００ｂに装着して使用する場合について説明する。このようなケースは、ユーザａがユーザｂに不揮発性表示モジュール１００に表示された画像（例えば記念写真）をプレゼントし、ユーザｂが表示制御装置２００ｂに装着して閲覧するようなケースである。
【００４４】
ユーザｂは、画像が表示された不揮発性表示モジュール１００を表示制御装置２００ｂに装着し、当該不揮発性表示システムを写真たて代わりにするような使い方が考えられる。この時、ユーザａが入力した音声情報が表示制御装置２００ｂ内のメモリに保持されていることはありえない。しかし第１の実施形態では、不揮発性表示モジュール１００の冗長領域１２０に付帯情報（音声情報）が表示（記憶）されているので、ユーザｂは図４のフローチャートに従って該音声情報を再生することが可能となる。
【００４５】
（第２の実施形態）
図５Ａは、本発明の第２の実施形態における不揮発性表示システムの外観図である。図１Ａに示した第１の実施形態における不揮発性表示システムとの相違点は、隠蔽用カバー２０４を外し、その代わりに不揮発性表示モジュール４００の冗長領域４２０内のカプセル構造を変更した点（後述）である。図５Ｂは、不揮発性表示モジュール４００の外観図である。冗長領域４２０は、付帯情報の値に関わらず、常に白一色で表示される。図６は、不揮発性表示モジュール４００のカプセル構造を示す説明図である。
【００４６】
第２の実施形態においては、不揮発性表示モジュール４００のカプセル４０１の内部が、表示領域４１０及び冗長領域４２０に区画されている。そして、表示領域４１０には、互いに異なる色に着色された第１の正極粒子群４０２ａと第１の負極粒子群４０３ａとが封入されている。一方、冗長領域４２０には、同一色に着色された第２の正極粒子群４０２ｂと第２の負極粒子群４０３ｂとが封入されている。なお、第２の実施形態においては、第１の正極粒子群４０２ａが黒色に着色されており、第２の正極粒子群４０２ｂと第１及び第２の負極粒子群４０３ａ、４０３ｂとが白色に着色されている。
【００４７】
この構造により、隠蔽用カバー２０４を設けることなく、付帯情報すなわち表示上ユーザにとって無意味な情報を表示させないようにできる。
【００４８】
なお、第１及び第２の実施形態において、付帯情報は音声に限られるものではなく、例えば、画像のサムネイルや音楽などのＡＶコンテンツであってもよい。また、表示された画像データの撮影日や、撮影された人物の氏名などの属性情報を文字情報として保持していても構わない。さらには、「付帯情報」は、画像データに関連付けられた情報であれば、上記の情報のように、ユーザが主観的に関連付けた情報のみならず、例えば、画像データの誤り訂正を行うための「誤り訂正コード」等のように客観的に関連付けられた情報、及び画像データの記録媒体への保存を許可する「鍵情報」等のように表示制御装置２００が関連付けた情報をも含む。
【００４９】
つまり、本発明に係る不揮発性表示モジュール１００、４００は、冗長領域１２０、４２０に表示（記憶）される情報を取り扱う表示制御装置２００の機能を変更することにより、様々な用途に応用することができる。また、冗長領域１２０に保持される情報は一種類に限定されず、複数種類の情報を保持するようにしてもよい。
【００５０】
また、上記の各実施形態においては、記録媒体としてメモリカード３００の例を示したが、これに限ることなく、他の記録媒体（ＣＤ、ＤＶＤ、Ｂｌｕ−ｒａｙ等）であってもよいし、通信ネットワークを介して画像データを取得してもよい。
【００５１】
また、不揮発性表示モジュール１００、４００は、特許文献２に開示された方法などを用いてカラー化してもよい。また、表示制御装置２００と不揮発性表示モジュール１００、４００との間は、無線通信や光通信によって電圧値を伝送するようにしても構わない。また、不揮発性表示モジュール１００の表示方式は、電気泳動方式に限定されるものではなく、不揮発性の表示素子であって表示情報の読み書きができる方式であれば適用することができる。
【００５２】
なお、本発明は、表示制御装置として実現できるだけでなく、表示制御装置の機能を実現する集積回路として実現したり、そのような機能をコンピュータに実行させるプログラムとして実現したりすることもできる。
【００５３】
また、集積回路化の手法はＬＳＩ（Ｌａｒｇｅ  Ｓｃａｌｅ  Ｉｎｔｅｇｒａｔｉｏｎ）に限るものではなく、専用回路または汎用プロセッサで実現してもよいし、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【００５４】
また、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤやＢＤ等の光ディスクやＳＤカード等のメモリカード等の記録媒体をいう。また、記録媒体は、電話回線や搬送路等の通信媒体も含む概念である。
【００５５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５６】
本発明にかかる不揮発性表示システムは、電子ペーパなどの不揮発性の表示媒体を備えたシステム全般において有益である。
【図面の簡単な説明】
【００５７】
【図１Ａ】本発明の第１の実施形態における不揮発性表示システムの外観図である。
【図１Ｂ】本発明の第１の実施形態における不揮発性表示モジュールの外観図である。
【図２】本発明の第１の実施形態における不揮発性表示システムの構成図である。
【図３】不揮発性表示システムの使い方を示す説明図である。
【図４】本発明の第１の実施形態における不揮発性表示システムの動作を示すフローチャートである。
【図５Ａ】本発明の第２の実施形態における不揮発性表示システムの外観図である。
【図５Ｂ】本発明の第２の実施形態における不揮発性表示モジュールの外観図である。
【図６】本発明の第２実施形態における不揮発性表示モジュールの冗長領域内のカプセル構造を示す説明図である。
【図７】従来の電気泳動方式に基づくカプセル構造を示す説明図である。
【符号の説明】
【００５８】
１００，４００                  不揮発性表示モジュール
１０１，４０１                  カプセル
１０２                          正極粒子群
１０３                          負極粒子群
１０４，１０５                  電極
１１０，４１０                  表示領域
１２０，４２０                  冗長領域
２００，２００ａ，２００ｂ      表示制御装置
２０１                          保持部
２０２                          操作部
２０３                          マイクロフォン
２０４                          隠蔽用カバー
２０５                          スピーカ
２１０                          ＣＰＵ
２２０                          読み書き部
２３０                          バッファ
２４０                          付帯情報付加部
２５０                          付帯情報再生部
３００                          メモリカード
４０２ａ                        第１の正極粒子群
４０２ｂ                        第２の正極粒子群
４０３ａ                        第１の負極粒子群
４０３ｂ                        第２の負極粒子群
【図１Ａ】
2010204310.tif 000003
【図１Ｂ】
2010204310.tif 000004
【図２】
2010204310.tif 000005
【図３】
2010204310.tif 000006
【図４】
2010204310.tif 000007
【図５Ａ】
2010204310.tif 000008
【図５Ｂ】
2010204310.tif 000009
【図６】
2010204310.tif 000010
【図７】
2010204310.tif 000011